(57)【要約】女性の膀胱を保持するための移植片１が一定の面積の柔軟な基本構造体２を備えており、この基本構造体２は一定の前方領域６、一定の後方領域８および前方から後方に延在している一定の長手軸Ｌ、ならびに、２個の延伸部分１０，１１を伴う一定の基部４を有している。上記２個の延伸部分１０，１１はそれぞれ前記基部４における前方領域６から延出して前方に延在しており、これらの間の距離は増大している。さらに、それぞれ上記２個の延伸部分１０，１１の各自由端部領域から延出して上記基部４における長手軸Ｌに対して横切って延在している２個の前方支持体２２，２３、および上記２個の延伸部分１０，１１の各自由端部領域の間における一定の接続部分２６が備えられている。また、一定の自由空間部分２８が上記の接続部分２６、２個の延伸部分１０，１１および基部４の間に形成されている。さらに、２個の後方支持体３２，３３が前記基部４における後方領域８内においてそれぞれ反対側から延出して当該基部４の長手軸Ｌに対して横切って延在している。
2004522470.tif 000002
【特許請求の範囲】
【請求項１】
女性の膀胱を保持するための移植片において、
一定の面積の柔軟な基本構造体（２）を備えており、当該基本構造体（２）が一定の前方領域（６）、一定の後方領域（８）および前方から後方に延在している一定の長手軸（Ｌ）、ならびに、２個の延伸部分（１０，１１）を伴う一定の基部（４）を有しており、これらの延伸部分（１０，１１）がそれぞれ前記基部（４）における前方領域（６）から延出して前方に延在していて、これらの間の距離が増大しており、さらに、
２個の前方支持体（２２，２３）を備えており、これらの前方支持体（２２，２３）がそれぞれ前記２個の延伸部分（１０，１１）の各自由端部領域から延出して前記基部（４）における長手軸（Ｌ）に対して横切って延在していて、前記２個の延伸部分（１０，１１）の各自由端部領域の間における一定の接続部分（２６）、および当該接続部分（２６）、前記２個の延伸部分（１０，１１）および前記基部（４）の間に形成されている一定の自由空間部分（２８）を有しており、さらに
２個の後方支持体（３２，３３）を備えており、これらの後方支持体が前記基部（４）における後方領域（８）内においてそれぞれ反対側から延出して当該基部（４）の長手軸（Ｌ）に対して横切って延在している移植片。
【請求項２】
前記基部（４）が前記２個の延伸部分（１０，１１）の中に一定のＵ字形状で延在している一定の凹状に丸みを付けた前方エッジ部分（１２）を有していることを特徴とする請求項１に記載の移植片。
【請求項３】
前記基部（４）における後方領域（８）が前記２個の後方支持体（３２，３３）の背後に延在していて、好ましくは、一定の凸状に丸みを付けた後方エッジ部分（１８）をその延在部分に有していることを特徴とする請求項１または請求項２に記載の移植片。
【請求項４】
２個の外科手術針を備えており、一方の針が前記長手軸（Ｌ）の同一側に配置されている一方の前方支持体（２２）の自由端部（２４）および前記後方支持体（３２）の自由端部（３４）に取り付けられ、別の針が別の前方支持体（２３）の自由端部（２５）および別の後方支持体（３３）の自由端部（３５）に取り付けられることを特徴とする請求項１乃至請求項３の１項に記載の移植片。
【請求項５】
前記２個の前方支持体（２２，２３）および前記２個の後方支持体（３２，３３）にそれぞれ移動可能に配置されているカバーを特徴とする請求項１乃至請求項４の１項に記載の移植片。
【請求項６】
前記２個の前方支持体（２２，２３）が前記２個の後方支持体（３２，３３）とは異なる色により標識されていることを特徴とする請求項１乃至請求項５の１項に記載の移植片。
【請求項７】
前記２個の前方支持体（２２，２３）および前記接続部分（２６）が一定の前方テープ（２０）としての単一部材片の形態で作成されていることを特徴とする請求項１乃至請求項６の１項に記載の移植片。
【請求項８】
前記前方テープ（２０）が前記一方の延伸部分（１０）の自由端部領域内の一定のスロット（１４）の中を通して、さらに、前記他方の延伸部分（１１）の自由端部領域内の一定のスロット（１５）の中を通して案内されることを特徴とする請求項７に記載の移植片。
【請求項９】
前記２個の後方支持体（３２，３３）が一定の後方テープ（３０）としての単一部材片の形態で作成されていることを特徴とする請求項１乃至請求項８の１項に記載の移植片。
【請求項１０】
前記後方テープ（３０）が前記基部（４）における後方領域（８）内の２個のスロット（１６，１７）の中をそれぞれ通して案内されることを特徴とする請求項９に記載の移植片。
【請求項１１】
前記前方テープ（２０）が前記後方テープ（３０）よりも短いことを特徴とする請求項７または請求項８および請求項９または請求項１０に記載の移植片。
【請求項１２】
前記柔軟な基本構造体（２）がよこ編み状またはたて編み状の布地を含むことを特徴とする請求項１乃至請求項１１の１項に記載の移植片。
【請求項１３】
前記柔軟な基本構造体（２）が以下の材料、すなわち、ポリプロピレン、ポリエステル、グリコリドおよびラクチドの各種コポリマー、およびこれらの材料による複合材料の内の少なくとも１種類を含有していることを特徴とする請求項１乃至請求項１２の１項に記載の移植片。
【請求項１４】
前記各支持体（２２，２３，３２，３３）または各テープ（２０，３０）がポリプロピレンを含有していることを特徴とする請求項１乃至請求項１３の１項に記載の移植片。
【発明の詳細な説明】
【発明の内容の開示】
【０００１】
本発明は女性の膀胱を保持するための移植片に関し、この移植片は特にストレス失禁を伴う膀胱ヘルニア（膀胱下垂）の治療において使用できる。
【０００２】
膀胱ヘルニアを治療するために、縫合により４点で一定の外科処置において患者の膀胱を吊り下げることが慣例的である。２箇所の前方の縫合が恥骨頸部筋膜および尿道骨盤靭帯において行なわれ、これにより、膀胱の頸部が保持される。一方、２箇所の後方の縫合が各噴門靭帯、さらに、可能であれば、子宮仙骨靭帯に関連して行なわれ、これにより、その膀胱の基部が保持される。その後、この膀胱はその延伸された恥骨頸部筋膜または膀胱恥骨筋膜の上に静止する。しかしながら、このような手術は費用が嵩み、多くのストレスが患者に加えられる。
【０００３】
膀胱失禁の場合において女性の膀胱を吊り下げるための一定の移植片がドイツ国特許第１９５４４１６２Ｃ１号により報告されており、この移植片は一定の面積の柔軟な基本的構造を有している。２個の第１の延伸部分および２個の第２の延伸部分が一定の三角形状乃至長円形の卵形の基部から延出している。これら２個の第１の延伸部分はその基部の長手軸から反対側に延在しており、また、２個の第２の延伸部分も同様であるが、これら第２の延伸部分は２個の第１の延伸部分とは反対側に一直線に並んでいる。このような移植片を開放性の手術において挿入した後に、その膀胱はこの移植片における一定の広い領域の上に静止し、このことにより、膀胱頸部領域および膀胱頂部領域の両方においてその膀胱の両側における安定な固定を達成することが可能になる。しかしながら、この場合においても、その外科処置の費用が高く、患者に対するストレスが多い。
【０００４】
女性の失禁を治療するための外科器具がＰＣＴ国際公開第ＷＯ９６／０６５６７号およびＰＣＴ国際公開第ＷＯ  ９７／１３４６５号において記載されており、この場合に、一定の丈夫な曲がった手術針がポリプロピレンにより作成した一定のテープの両端部に取り付けられており、この針が一定の着脱自在のグリップにより案内される。すなわち、これら２個の針は膣を介して恥骨の背部に沿ってその腹壁部の外側まで一定の患者の尿道のそれぞれ反対側に案内される。これにより、上記テープはその尿道の下方における一定の屈曲部分の中に静止する。さらに、このテープの２個の端部が腹壁部の中を通して引っ張られて切断される。これらは通常的に、そのテープが比較的に速やかにその組織内において成長するので、縫い付ける必要がない。また、尿道の領域内においては、上記テープはその尿道に直接的に接触することなく一定の支持体として作用する。この手術は上記テープが２個のカバーを備えている場合に容易に行なわれ、これらは組織内における摺動能力を高めると共にそのテープの２個の出口を介してその手術の終了時にテープから除去される。この方法によれば、膀胱失禁が速やかに且つ効果的に治療可能であり、ストレスもほとんど生じない。しかしながら、この方法は一定の膀胱垂下の場合に役に立たない。
【０００５】
本発明の目的はストレス失禁を伴う一定の膀胱ヘルニアを速やかに且つ効果的に、さらに、患者に対するストレスをほとんど生じることなく治療できる一定の可能性を提供することである。
【０００６】
上記の目的は請求項１における各特徴を伴う女性の膀胱を保持するための一定の移植片により達成される。さらに、本発明の有利な各変更例がそれぞれの従属の請求項により明らかになる。
【０００７】
女性の膀胱を保持するための本発明による移植片は一定の面積の柔軟な構造を有しており、この構造は一定の基部および２個の延伸部分を有している。この基部は一定の前方領域および一定の後方領域を含み、前方（腹側）から後方（背側）に延在している一定の長手軸を有している。また、２個の延伸部分は上記基部の前方領域から延出して前方に延伸しており、これらの間の距離は増加している。さらに、２個の前方支持体がこれら２個の延伸部分の自由端部の領域から延出して上記基部の長手軸に対してこれを横切る方向に延伸している。上記２個の延伸部分それぞれの自由端部の領域の間には一定の接続部分が存在しており、一定の自由な空間部分がこれら２個の延伸部分と基部との接続部分の間に形成されている。さらに、２個の後方支持体が備えられており、これらは上記基部の後方領域におけるそれぞれの反対側から延出してこの基部の長手軸に対してこれを横切る方向に延伸している。
【０００８】
上記移植片を一定の患者の中に挿入する場合に、上記の接続部分および２個の前方支持体は、上記ＰＣＴ国際公開第ＷＯ  ９６／０６５６７号およびＰＣＴ国際公開第ＷＯ  ９７／１３４６５号により開示されている外科器具と同様に、中央部の尿道をこれに直接的に触れることなく支持する。さらに、この膀胱の前方部分もまたこれら２個の延伸部分および基部の前方領域により支持される。また、この膀胱の頸部は上記接続部分の間の自由な領域内にあり、それゆえ、これら２個の延伸部分および基部は尿意に応じて必要になる等の場合に一定の移動の自由度を有している。一方、上記２個の後方支持体および基部の後方領域は膀胱の基底部を支持するように作用する。上記２個の前方支持体はその移植された状態において比較的に緩やかに案内されることが好ましいが、上記２個の後方支持体は一定の膀胱垂下が排除される程度までその膀胱の基底部を持ち上げるためにピンと張られた状態にすることができる。従って、本発明による移植片を用いることにより、ストレス失禁および一定の膀胱ヘルニアが同時に治療できる。
【０００９】
本発明による移植片は、以下においてさらに詳細に説明されているように、膣を介して比較的に容易に挿入することができる。さらに、患者に対するストレスが比較的に少ない様式で、各筋膜および靭帯が４本の縫合線により固定される初めに述べた手術技法と同様の効果が達成される。また、この外科処置は局所麻酔薬の存在下において行なうことができ、比較的に速やかであり、術後の痛みが比較的に少ない。また、この移植片は膀胱の長期継続の安全な保持を確実にする。上記の２個の前方支持体および２個の後方支持体を使用することにより、尿道の支持および膀胱基底部の支持がそれぞれ最適化できる。
【００１０】
好ましくは、上記基部は凹状に丸みを付けた前方エッジ部分を有しており、このエッジ部分から一定のＵ字形状で２個の延伸部分が延出している。このような設計は膀胱の頸部に必要な移動の自由度を保証することにおいて特に有利である。さらに、上記２個の前方支持体およびその接続部分により、一定の膀胱失禁が効果的に治療されるように、中央の尿道部分が支持可能になる。
【００１１】
上記移植片の好ましい態様において、その基部の後方領域は上記２個の後方支持体の後方に延在しており、好ましくは、一定の凸状に丸みを付けた後方エッジ部分を有している。この領域は直腸膣包を閉じることにより腸ヘルニア（腸管ヘルニア）の治療（または腸ヘルニアの防止）を可能にする。必要であれば、この基部における領域を手術前または手術後に短く切断してその部分が患者の解剖学的構造に最適に一致するようにできる。また、この領域が必要とされない場合には、この部分をその移植片の残りの部分から完全に分離することも可能である。
【００１２】
上記移植片は２個の外科針と一定に供給可能であり、この内の１個の針は上記基部の長手軸に対して同一の側に配置されている一方の前方支持体の自由端部および上記後方支持体の自由端部に取り付けられ、別の針は別の前方支持体の自由端部および別の後方支持体の自由端部に取り付けられる。これらの外科針は好ましくは丈夫な曲がった針として設計されており、上記のＰＣＴ国際公開第ＷＯ  ９６／０６５６７号およびＰＣＴ国際公開第ＷＯ  ９７／１３４６５号により開示されている針と同様に、付加的なグリップ用の各部品の補助を伴って使用することができる。しかしながら、本発明による移植片の場合には、各針が１個のテープの端部のみではなく２個の支持体、すなわち、前方支持体の内の１個および後方支持体の内の１個に接続される。このような様式において、針を組織の中に案内する場合に、その前方支持体および後方支持体を移植片の一方の側において組織の中に同時に引き込むことが可能になる。このことにより、その外科手術を容易に且つ短くすることができ、比較的に少数の孔あけ位置の理由により患者に対して有利である。
【００１３】
好ましくは、上記２個の前方支持体および２個の後方支持体は移動可能なカバーをそれぞれ備えている。これらのカバーは好ましくは、例えば、ポリエチレンまたはポリプロピレンのフィルム材料等の平滑なプラスチック材料により作成されていて、前方支持体および後方支持体の組織内における引き動かしを容易にしている。上記の移植片がその目的とされる位置に到達するとすぐに、これらのカバーはその前方支持体および後方支持体のそれぞれの自由端部を介して除去可能であり、それゆえ、患者の体内に残らない。
【００１４】
上記２個の前方支持体は上記２個の後方支持体とは異なる色で標識されていることが好ましい。このような様式において、外科医は組織の中を通して引き動かされている各支持体の自由端部を確実に識別することができ、それゆえ、移植片をさらに正確に位置決めするために必要であれば、自分が引き動かす必要のある支持体がどれであるかを正確に知ることができる。この標識は関連の各支持体を着色すること、あるいは、これらに付随するそれぞれのカバーを着色することにより行なえる。
【００１５】
本発明の好ましい態様において、上記２個の支持体およびその接続部分は一定の前方テープとして単一の部材片の状態で作成されている。これに対応して、上記２個の後方支持体もまた一定の後方テープとして単一の部材片の状態で作成できる。原理的に、上記のＰＣＴ国際公開第ＷＯ  ９６／０６５６７号およびＰＣＴ国際公開第ＷＯ  ９７／１３４６５号により開示されているようなテープが本発明の移植片において使用できる。このような態様はこれらのテープが引張力を吸収することに適しているので有利であり、この場合において、上記２個の前方支持体および上記２個の後方支持体がそれぞれ一直線状になり、このような柔軟な基本構造体の移植片は比較的に小さな力に耐えるだけでよくなる。それゆえ、この基本構造体は軽量にすることができ、患者に対して有利な少量の材料により作成できる。
【００１６】
好ましくは、上記前方テープは一方の延伸部分の自由端部領域の中における一定のスロットの中および他方の延伸部分の自由端部領域の中における一定のスロットの中をそれぞれ通して案内される。これに対応して、上記後方テープは上記基部の後方領域の中における２個のスロットの中をそれぞれ通して案内できる。このような設計により、上記の前方および／または後方のテープが手術中に上記柔軟な基本構造体に対して移動可能になり、このことは移植片の位置決めにおいて役立つ。また、このような調節の可能性が必要とされない場合、または、望まれない場合には、上記の前方および／または後方のテープは、例えば、縫い付けまたは溶接等の特定の別の様式で上記柔軟な基本構造体に接続できる。
【００１７】
上記前方テープは好ましくは上記後方テープよりも短い。このことは上記において概説されている様式で一定の外科針を２個の支持体またはテープのそれぞれの端部に接続する場合に特に有利であり、この理由は、その後方テープが前方テープよりも患者の体内において相当に長く延在していることを考慮に入れているからである。
【００１８】
好ましくは、上記の柔軟な基本構造体はよこ編みまたはたて編みの織地を含む。材料として適当なものは、特に、ポリプロピレンまたはポリエステル等の比吸収性の材料であるが、例えば、ポリ−ｐ−ジオキサノンまたはグリコリドおよびラクチドの各種コポリマー等の吸収性の材料も考えられる。特に有利な材料はポリプロピレンと９０部のグリコリドおよび１０部のラクチドの一定のコポリマーとの複合材料であり、この材料は商品名を「ビプロ（Vypro）」とするたて編みメッシュ地としてエシコン・ゲーエムベーハー社（Ethicon GmbH）により販売されている。このような複合材料は手術後の初期的期間、すなわち、移植片が組織により内部においてまだ十分に成長していない期間において、一定の高い強度を有する。これに続いて、上記吸収性の成分が分解し、これにより、その患者における異物に対するストレスが減少できる。しかしながら、残存するポリプロピレンが一定の十分な信頼性の高い支持を永久的に確実にする。
【００１９】
上記支持体またはテープは、例えば、ポリプロピレンを含むことができるが、別の材料も考えられる。
【００２０】
次に、一例の実施形態に基づいて以下において本発明をさらに詳細に説明する。
【００２１】
図１において、移植片１の一例の態様が上面図において示されている。隠れている各領域は点線によりそれぞれ示されている。
【００２２】
上記移植片１は一定の面積の柔軟な基本構造体２を有しており、この基本構造体２は一定の長手軸Ｌに対して対称であり、一定の前方領域６および後方領域８ならびに２個の延伸部分１０および延伸部分１１を伴う一定の基部４により構成されている。２個の延伸部分１０，１１は上記基部４の前方領域６から延出して、図１において見ることができるように、前方に延伸している。また、これらの間の距離はこれらの延伸に伴って増大している。この様式において、一定の凹状に丸みを付けた前方エッジ部分１２が基部４において展開しており、一定のＵ字形の形状で２個の延伸部分１０，１１まで延在している。
【００２３】
上記延伸部分１０の自由端部の領域内に一定のスロット１４が設けられており、これに対応するスロット１５が延伸部分１１の自由端部の領域内に設けられている。これら２個のスロット１４およびスロット１５はこの実施形態において互いに平行に整合している。さらに別の２個のスロット１６およびスロット１７が同様にこの実施形態において互いに平行に整合しており、これらは上記基部４の後方領域８においてそれぞれ配置されている。この基部４の後方領域８は各スロット１６および１７の背部において後方に延伸この基部のして一定の凸状に丸みを付けた後方エッジ部分１８に到達している。このスロット１６およびスロット１７の後方において形成されている基部４の領域は図１において符号１９により示されている。
【００２４】
上記の実施形態において、基本構造体２は一定のポリプロピレンのたて編みの布地として製造されている。この布地が一定の比較的に大きな材料片から切り出しまたはパンチ処理される場合には、その各エッジ部分ならびに各スロット１４，１５，１６および１７の各エッジ部分がほぐれに対して処理されていることが好ましい。
【００２５】
例えば、非吸収性および吸収性の各部品による一定の複合材料のような、別の材料も上記基本構造体２として考えられる。このような複合材料の一例は各種のポリプロピレン・フィラメント（非吸収性）と９０：１０の比率におけるグリコリドおよびラクチドの一定のコポリマーによる各種のフィラメント（吸収性）とによる一定のたて編み布地である。また、このようなたて編み布地が商品名「ビプロ（Vypro）」として本出願人により販売されている。
【００２６】
上記移植片１の前方領域において、一定の前方テープ２０がその長手軸Ｌを横切って延在しており、このテープ２０は上記延伸部分１０および延伸部分１２の中における２個のスロット１４およびスロット１５の中を通して案内されている。この前方テープ２０は一定の前方支持体２２（長手軸Ｌの左側において一定の自由端部２４を有している）、一定の前方支持体２３（長手軸Ｌの右側において一定の自由端部２５を有している）、および各延伸部分１０および１１のそれぞれの自由端部領域の間に延在している一定の接続部分を一体に形成している。また、この前方テープ２０は各スロット１４，１５の中において移動可能にすることができ、このことは移植片１を挿入する場合にその手術の進行において有利になる可能性がある。しかしながら、一般に、この前方テープ２０は上記基本構造体２に対して対称に整合される。
【００２７】
上記移植片１の材料が全く存在していない一定の自由空間部分２８が上記接続部分２６、２個の延伸部分１０および延伸部分１１および基部４の前方エッジ部分１２の間に設けられている。
【００２８】
後方テープ３０は２個のスロット１６およびスロット１７の中を通して案内され、一定の後方支持体３２（長手軸Ｌの左側において一定の自由端部３４を有している）および一定の後方支持体３３（長手軸Ｌの右側において一定の自由端部３５を有している）を形成している。この後方テープ３０は、前方テープ２０と同様に、基部４に対して移動可能であるが、一般に長手軸Ｌに対して対称に構成されている。
【００２９】
この実施形態において、前方テープ２０および後方テープ３０はそれぞれポリプロピレンにより作成されており、上記ＰＣＴ国際公開第ＷＯ  ９６／０６５６７号およびＰＣＴ国際公開第ＷＯ  ９７／１３４６５号に関して初めに説明されているテープにおいて使用可能な種類でもある。好ましくは、後方テープ３０は、図１において示されているように、前方テープ２０よりも長い。
【００３０】
図２において、上記移植片を一定の患者の体内に配置する形態が概略的に示されている。基部４は膀胱の基底部を保持しており、この膀胱の基部は２個の後方支持体３２，３３を引っ張ることにより持ち上げることができる。接続部分２６は中央部分の尿道を支持するが、好ましくはその尿道に直接的に接触していない。それゆえ、前方テープ２０は、一般に、後方テープ３０よりも緩やかに案内されている。膀胱頸部は自由空間部分２８の中に配置されており、それゆえ、その通常的な機能に対して必要な移動度を有している。
【００３１】
長手軸Ｌに対して垂直に測定した基部４の幅は好ましくは約４ｃｍ乃至５ｃｍである。また、前方テープ２０および後方テープ３０の適当な長さはそれぞれ、例えば、４５ｃｍおよび５０ｃｍである。
【００３２】
さらに、この実施形態において、それぞれ、平滑なプラスチック材料による、移動可能なカバー（スリーブ）４０およびカバー４２が前方支持体２２および後方支持体３２の周囲に配置されており、（これについては）図２を参照されたい。さらに、それぞれ対応しているカバーが前方支持体２３および後方支持体３３にも配置されているが、簡略化のために、図２において示されていない。
【００３３】
さらに、前方支持体２２の自由端部２４および後方支持体３２の自由端部３４が移植片の配給時に一体に連結されて、一定の丈夫な曲がった手術針の軸部に一緒に固定される。このような針およびこの針を案内するための一定のグリップの例が、例えば、上記ＰＣＴ国際公開第ＷＯ  ９７／１３４６５号において開示されている。さらに、前方支持体２３および後方支持体３３の各自由端部２５および３５が、それぞれ、同様に一定の対応する針に一緒に固定される。
【００３４】
上記２個の針の補助により、前方テープ２０および後方テープ３０は移植片１がその所望の位置に到達するまで一定の患者の身体における左側および右側の各半分の中における組織の中を通して効率的に案内できる（以下を参照されたい）。また、各カバー４０，４２は組織の中を通してこれらのテープを引き動かす動作を容易にする。外科医が身体から突出している各テープ部品のどちらが前方テープ２０および後方テープ３０にそれぞれ属しているかを速やかに知ることを可能にするために、これらのカバー４０およびカバー４２はこの実施形態において異なる色を有している。移植片１が適正に配置されると、上記２個の針が分離可能になり、各カバー４０，４２が前方テープ２０および後方テープ３０からそれぞれ引き除かれる。その後、それぞれの突出しているテープ部品がその皮膚の近くにおいて切除される。
【００３５】
以下において、上記移植片１を挿入するための一定の外科処置の例をさらに詳細に説明する。
【００３６】
患者は背側切石位におかれて、一定のカテーテル（例えば、「＃１８フレンチ・フォーレイ（#18 French Foley）」）がその尿道の中に挿入される。好ましくは、中央尿道から膣冠またはその頸部（存在している場合に）まで一定の垂直膣切開部分が作成される。この切開部分の両側のエッジ部分を一定のアリス（Allis）クランプにより挟んで、横方向にそれぞれ引き戻すと共に、外科医はその膣上皮のすぐ下にメトゼンバウム（Metzenbaum）鋏により一定の鋭い切開部分を作成し、さらに／または、人差し指により一定の閉塞性の切断部分を作成する。この切開処置は骨膜（bone skin）に到達して膀胱がその膣の各付属体から遊離した時に終了する。
【００３７】
恥丘に対して側方および頭側に約１ｃｍにおいて、約２ｃｍの２個の平行な切開部分を恥骨上部に作成する。この場合に、尿道または膀胱頸部を移動しないようにする。その後、カテーテルの中に、一定の直線状の配置して損傷の危険性を少なくするために尿道および膀胱頸部を一方の側に移動する。
【００３８】
その後、一定の長い曲がった針（例えば、上記ＰＣＴ国際公開第ＷＯ  ９６／０６５６７号およびＰＣＴ国際公開第ＷＯ  ９７／１３４６５号により開示されている針等）を中央尿道部分に対して側方に露出している膣の傷の中に挿入して、その恥骨の下側に送り込む。骨盤内筋膜の孔あけ処理後に、上記針を膀胱から既に作成している恥骨上部の切開部分まで側方に案内する。針が直腸筋膜により抵抗を受けると、その針の先端部分が既に作成している恥骨上部切開部分から出るまで、この針に接続している一定のグリップ用の部材片に穏やかな圧力を加える。
【００３９】
上記恥骨上部領域内の切開部分から上記の長い曲がった針を引き出した後に、前方テープ２０および後方テープ３０の各端部領域がそこから突出する。この全体の処理が膀胱鏡検査により観察され、尿道および膀胱頸部が損傷しないように確認できる。
【００４０】
その後、全く同一の処置が別の側において行なわれて、上記前方テープ２０および後方テープ３０の反対側の各端部領域が恥骨上部領域内の切開部分から突出する。
【００４１】
次に、上記移植片１における前方（腹側）テープ２０および後方（背側）テープ３０ならびに柔軟な基本構造体２がそれぞれ位置決めされる。前方テープ２０は一方の側における腹壁部から中央尿道部分の下側を回り別の側における腹壁部に戻るように延在する。一方、後方テープ３０は一方の側における腹壁部から同様に延出して膀胱基底部の下側を回り別の側における腹壁部に戻るように延在する。この様式において、一定の吊り下げ状態が４点において形成される。この移植片の基部４はその内部における膀胱全体に適応するように構成されている。噴門−子宮仙骨靭帯に対する後方領域内に上記基本構造体２を固定するために、従って、この基本構造体２の前方側への移動を阻止するために、例えば、商品名「ビクリル＃２（Vicryl #2）」として本特許出願人により販売されている縫合材料により２対の縫合が行なわれる。
【００４２】
一定の腸ヘルニアが存在する場合に、上記基本構造体２における領域１９は、その腸ヘルニアの嚢を切除した後に、その欠損部分を閉じて一定の直腸子宮窩を排除するために直腸筋膜よりも遠位側に固定するように位置決めされる。また、この領域１９が必要とされない場合には、この領域１９は切り離される。
【００４３】
この時点において、後方テープ３０に穏やかな引っ張り力を漸進的に加えて、膀胱をその解剖学的に正常な位置に再位置決めする。次に、この後方テープ３０の周囲における２個のカバーを外側に引っ張って除去するが、例えば、毛抜きなどの補助により、この工程中における上記基本構造体２の張力の増加を防止することが必要である。
【００４４】
次に、上記の膀胱を約３００ｍｌの生理的学的な塩類溶液により充たして、その患者に咳をさせる（ストレス試験）。その後、尿漏れが停止するまで前方テープ２０の両端部を上記の腹部における各切開部分から同時に引き出す。次に、この前方テープ２０の周囲における２個のカバーを除去するが、このテープの張力の増加を防ぐためにその前方テープ２０と尿道周囲筋膜との間に一定の鋏を配置する。なお、この鋏はその尿道と前方テープ２０との間に十分に適合する必要がある。
【００４５】
その後、膣の切開部分が速やかに吸収可能な縫合材料による（例えば、本特許出願人により販売されている縫合材料「ビクリル・ラピッド＃２．０（Vicryl rapid #20）」による）一定の連続的な縫合線により閉じられる。なお、過剰な膣上皮を可能な限り少なく切除することが望ましく、このことにより、膣びらんの危険性が減少できる。その後、一定のカテーテルおよび一定の膣パックを約２４時間にわたりその患者の体内に残留させる。
【図面の簡単な説明】
【００４６】
【図１】本発明による移植片の一例の態様の上面図である。
【図２】図１における移植片の斜視図であり、この場合に、移植された状態におけるこの移植片の形態が示されている。
【符号の説明】
【００４７】
１  移植片
２  柔軟な基本構造体
４  基部
６  前方領域
８  後方領域
１０，１１  延伸部分
１２  前方エッジ部分
１４，１５  スロット
１６，１７  スロット
１８  丸みを付けた後方エッジ部分
２０  前方テープ
２３  前方支持体
２６  接続部分
２８  自由空間部分
３０  後方テープ
３２  後方支持体
Ｌ  長手軸
【国際公開パンフレット】
2004522470.tif 000003
2004522470.tif 000004
2004522470.tif 000005
2004522470.tif 000006
2004522470.tif 000007
2004522470.tif 000008
2004522470.tif 000009
2004522470.tif 000010
2004522470.tif 000011
2004522470.tif 000012
2004522470.tif 000013
2004522470.tif 000014
2004522470.tif 000015
2004522470.tif 000016
2004522470.tif 000017
2004522470.tif 000018
2004522470.tif 000019
2004522470.tif 000020
2004522470.tif 000021
2004522470.tif 000022
2004522470.tif 000023
2004522470.tif 000024
2004522470.tif 000025
2004522470.tif 000026
2004522470.tif 000027
【国際公開パンフレット（コレクトバージョン）】
2004522470.tif 000028
2004522470.tif 000029
【国際調査報告】
2004522470.tif 000030
2004522470.tif 000031